(57)【要約】【課題】  オーバーヘッドモジュールの機能拡大とプロジェクタの小形化を両立させる。【解決手段】  オーバーヘッドモジュール２の内部にＬＥＤから成るプロジェクタ用光源７ｂが設けられている。プロジェクタ用光源７ｂから出た光は液晶を含んで構成される映像化エレメント８を通過し、プロジェクタ用レンズ３ｃを通過し、センターコンソールの上面に映像を映写する。映像はプロジェクタコントローラによって可変とされる。そして、自動車のドアが開かれた時にルームランプ１１とプロジェクタ１０が点灯し、点灯後に所定時間が経過したらルームランプ１１が消灯するようにされ、ルームランプ１１消灯後に所定時間が経過したらプロジェクタ１０が消灯する、ようにされている。【選択図】      図１
2007069650.tif 000002
【特許請求の範囲】
【請求項１】
室内の所定領域を照明するルームランプを含み自動車の天井部分に装着されるオーバーヘッドモジュールにおいて、
室内の所定の映写対象面に映像を映写可能なプロジェクタを具備し、
該プロジェクタがルームランプと共にドアの開閉に連動して映像の映写をおこなう、
ことを特徴とするオーバーヘッドモジュール。
【請求項２】
プロジェクタが、光源と、光源が発した光を所定領域に集めるレンズと、光源とレンズの中間に配置されて光源が発した光を透過せしめて映像化する映像化エレメントと、を含む、
ことを特徴とする請求項１に記載のオーバーヘッドモジュール。
【請求項３】
ルームランプの光源がプロジェクタの光源を兼ねている、ことを特徴とする請求項１に記載のオーバーヘッドモジュール。
【請求項４】
映像化エレメントは映像を可変である、ことを特徴とする請求項２に記載のオーバーヘッドモジュール。
【請求項５】
映像化エレメントは液晶を含んで構成されている、ことを特徴とする請求項４に記載のオーバーヘッドモジュール。
【請求項６】
映写対象面が、センターコンソール、フロア、シート、ステアリングホイール、ダッシュボード、フロントガラスのいずれかであるある、ことを特徴とする請求項１に記載のオーバーヘッドモジュール。
【請求項７】
自動車のドアが開かれた時にルームランプとプロジェクタが点灯し、
点灯後に所定時間が経過したらルームランプが消灯し、
ルームランプ消灯後に所定時間が経過したらプロジェクタが消灯する、
ことを特徴とする請求項１に記載のオーバーヘッドモジュール。
【発明の詳細な説明】
【技術分野】
【０００１】
本発明は自動車のルーフ内側の前端中央部に配設されるオーバーヘッドモジュールに関する。
【背景技術】
【０００２】
自動車のルーフ内側の前端中央部にオーバーヘッドモジュールが配設されることが多い。このオーバーヘッドモジュールは客室内部全体を照明するルームランプ、及び、地図等が見えるようにするための客室内の一部を集中的に照明する補助ルームランプとしてのマップランプ、さらに、これらのランプのＯＮ，ＯＦＦをおこなうためのスイッチ等を備えている（例えば、特許文献１参照）。このオーバーヘッドモジュールは、運転者にとって操作しやすい場所にあることもあって、さらなる機能の充実を求める声もある。
【０００３】
一方、車室内をより快適に、また、より楽しくすることが求められている。例えば、映像を車室内に映写するプロジェクタも開発されている。例えば、特許文献２に記載のものがある。ところが、上記特許文献２に記載のプロジェクタは映写という単一の機能しか有していないのに専用のスペースを必要としており、小形のプロジェクタを求める声もある。
【０００４】
【特許文献１】特開２０００−２７２４０９
【特許文献２】実開平２−１１５０４０
【発明の開示】
【発明が解決しようとする課題】
【０００５】
本発明は、上記に鑑みてオーバーヘッドモジュールの機能の拡大とスペースをとらないプロジェクタの開発を両立させることを目的とする。
【課題を解決するための手段】
【０００６】
請求項１の発明によれば、室内の所定領域を照明するランプを含み自動車の天井部分に装着されるオーバーヘッドモジュールにおいて、
室内の所定の映写対象面に映像を映写可能なプロジェクタを具備し、
該プロジェクタがルームランプと共にドアの開閉に連動して映像の映写をおこなう、
ことを特徴とするオーバーヘッドモジュールが提供される。
【０００７】
請求項２の発明では、プロジェクタが、光源と、光源が発した光を所定領域に集めるレンズと、光源とレンズの中間に配置されて光源が発した光を透過せしめて映像化する映像化エレメントと、を含んで構成される。
【０００８】
請求項３の発明では、ルームランプの光源がプロジェクタの光源を兼ねるようにされている。
【０００９】
請求項４の発明では、映像化エレメントは映像を可変であるようにされている。
【００１０】
請求項５の発明では、映像化エレメントは液晶を含んで構成されている。
【００１１】
請求項６の発明では、映写対象面は、センターコンソール、フロア、シート、ステアリングホイール、ダッシュボード、フロントガラスのいずれかとされる。
【００１２】
請求項７の発明では、自動車のドアが開かれた時にルームランプとプロジェクタが点灯し、点灯後に所定時間が経過したらルームランプが消灯し、
ルームランプ消灯後に所定時間が経過したらプロジェクタが消灯する、ようにされている。
【発明の効果】
【００１３】
本発明によれば、オーバーヘッドモジュールに映像を映写可能なプロジェクタが追加され、新たに車室内空間を占用することなく、車室内の快適性、楽しさを向上することができる。
【発明を実施するための最良の形態】
【００１４】
以下、添付の図面を参照して本発明の実施の形態を説明する。
図１は本発明の実施の形態を説明する斜視図である。ルーフトリムの前端部１にオーバーヘッドモジュール２が配設されている。３は発光部カバーであって、発光部カバー３はルームランプ用レンズ部３ａと、マップランプ用レンズ部３ｂと、本発明にかかわるプロジェクタ用レンズ部３ｃを含む。さらに、４はサングラスホルダであり、５ａはルームランプスイッチ、５ｂはマップランプスイッチ、５ｃはプロジェクタコントローラである。６は他の機能のスイッチ、例えば、図示しないサンルーフ開閉用のスイッチである。
【００１５】
図２は図１のII-II線に沿って見た断面図である。
図２において７ａはルームランプ用光源であり、７ｂはプロジェクタ用光源であり、いずれもＬＥＤ（発光ダイオード）から成る。なお、ルームランプ用光源とプロジェクタ用光源をまとめて一つの光源とすることも可能である。
【００１６】
８は映像化エレメントであって液晶を含んで構成され、プロジェクタ用光源７ｂが発した光が透過可能な領域と透過不能な領域を形成して映写対象面に映像を映写する。映像化エレメント８はいくつかのプログラムを有しており運転者、あるいは、乗員がプロジェクタコントローラ５ｃにより選択されるようになっている。エレメント８を素通し状態にしてプロジェクタをランプとして使用するようにすることも可能である。
【００１７】
このように、プロジェクタはプロジェクタ用光源７ｂと映像化エレメント８と発光部カバー３のプロジェクタ用レンズ部３ｃ、および、プロジェクタコントローラ５ｃから構成されており、これらの集合体を便宜的にプロジェクタ１０と称する。
またルームランプ用光源７ａと発光部カバー３のルームランプ用レンズ部３ａ、および、ルームランプスイッチ５ａの集合体を便宜的にルームランプ１１と称する。
【００１８】
映写対象面はこの実施の形態の場合はセンターコンソール９の上面であるが、その他、フロア、シート、ステアリングホイール、ダッシュボード等にすることも可能である。
また、ダッシュボードを経由してフロントガラス上に映写することも可能である。
【００１９】
本発明では、プロジェクタ１０による映像の映写はルームランプ１１と協働して、ドアの開閉に連動しておこなわれるようになっている。
例えば、自動車のドアが開かれた時にルームランプ１１とプロジェクタ１０が点灯し、点灯後に所定時間が経過したらルームランプ１１が消灯するようにされ、ルームランプ１１消灯後に所定時間が経過したらプロジェクタ１０が消灯する、ようにされている。プロジェクタ１０は例えば「安全ベルトを締めてください」というような真面目なメッセージを映写することも可能であり、あるいは、「ようこそ」というような若干楽しさを含むメッセージを映写することも可能である。
【産業上の利用可能性】
【００２０】
本発明は自動車用のオーバーヘッドモジュールに適用できる。
【図面の簡単な説明】
【００２１】
【図１】本発明のオーバーヘッドモジュールの実施の形態の斜視図である。
【図２】図１のII−II線に沿って見た断面図である。
【符号の説明】
【００２２】
１    ルーフトリム
２    オーバーヘッドモジュール
３    発光部カバー
３ａ    ルームランプ用レンズ部
３ｃ    プロジェクタ用レンズ部
５    ルームランプ用スイッチ
５ｃ    プロジェクタコントローラ
７ａ    ルームランプ用光源
７ｂ    プロジェクタ用光源
８    映像化エレメント
【図１】
2007069650.tif 000003
【図２】
2007069650.tif 000004